(57)【要約】      （修正有）【課題】巻線のエンドターンによって形成された周辺部に液体冷媒を通ずる冷却管を配設して該エンドターンの冷却を強化した電気モータを提供する。【解決手段】電気モータは複数のスロット１８を有する固定子を含む。該スロット１８は、スロット端部およびスロット端部同士の間に形成された溝を有する。スロット内に複数のワイヤ巻線２０が配設されている。複数の巻線のエンドターン３０がワイヤ巻線２０によって形成され、スロット端部に近接する。電気モータは、巻線の該エンドターン３０によって形成された周辺部に連結されている冷却管３６も含む。該冷却管３６は電気モータから熱を吸収するように動作可能である。冷却管は従来の電気モータの水ジャケットおよび／または冷却ファンより効率的に、巻線のエンドターンを冷却することができる。【選択図】図１
2007252188.tif 000002
【特許請求の範囲】
【請求項１】
複数のスロットを含み、前記スロットがスロット端部および前記スロット端部同士の間に形成された溝を有する固定子と、
前記スロット内に配設された複数のワイヤ巻線と、
前記スロット端部に近接して前記ワイヤ巻線によって形成された複数の巻線のエンドターンと、
前記巻線のエンドターンによって形成された周辺部に連結された冷却管とを含む電気モータであって、前記冷却管が前記電気モータからの熱を吸収するように動作可能である電気モータ。
【請求項２】
前記冷却管が前記巻線のエンドターンを複数回取り巻く、請求項１に記載の電気モータ。
【請求項３】
前記巻線のエンドターンをそれぞれ取り巻く複数の冷却管をさらに含む、請求項１に記載の電気モータ。
【請求項４】
前記冷却管が、前記巻線のエンドターンの前記周辺部に周方向に近接する形状に前形成されている、請求項１に記載の電気モータ。
【請求項５】
前記冷却管内部にある冷却流体をさらに含む、請求項１に記載の電気モータ。
【請求項６】
前記冷却流体から熱を放熱するように動作可能な前記冷却管に連結された放熱システムをさらに含む、請求項５に記載の電気モータ。
【請求項７】
前記複数の冷却管に並列構成で流体的に連結された放熱システムをさらに含む、請求項３に記載の電気モータ。
【請求項８】
前記複数の冷却管に直列構成で流体的に連結された放熱システムをさらに含む、請求項３に記載の電気モータ。
【請求項９】
前記冷却管が内面および外面を有する壁を含み、前記内面と前記外面の距離が壁厚および内径を画成し、前記壁厚は前記内径よりも小さい、請求項１に記載の電気モータ。
【請求項１０】
前記壁厚が約０．０１２インチ（約０．３０５ｍｍ）である、請求項９に記載の電気モータ。
【請求項１１】
前記内径が約０．２５インチ（約６．３５ｍｍ）である、請求項９に記載の電気モータ。
【請求項１２】
前記冷却管の壁厚が前記冷却管の内径の約５％である、請求項９に記載の電気モータ。
【請求項１３】
前記冷却管の前記外面の少なくとも一部が前記複数の前記巻線のエンドターンに連結する、請求項９に記載の電気モータ。
【請求項１４】
前記冷却管を前記複数の前記巻線のエンドターンに接着する接着剤をさらに含む、請求項１に記載の電気モータ。
【請求項１５】
前記接着剤が熱伝導性である、請求項１４に記載の電気モータ。
【請求項１６】
前記接着剤が前記接着剤の熱伝導性を高める添加剤を含む、請求項１４に記載の電気モータ。
【請求項１７】
前記添加剤がアルミナ、窒化アルミニウム、窒化ボロン、セラミックスの１つおよびそれらの組合せを含む、請求項１６に記載の電気モータ。
【請求項１８】
前記冷却管が非金属から作製される、請求項１に記載の電気モータ。
【請求項１９】
前記冷却管がポリテトラフルオロエチレンから作製される、請求項１８に記載の電気モータ。
【請求項２０】
前記冷却管が接着性を高めるようにエッチングされる、請求項１８に記載の電気モータ。
【請求項２１】
前記冷却管がプラスチック、ゴムの１つおよびそれらの組合せから作製される、請求項１に記載の電気モータ。
【請求項２２】
前記冷却管が金属から作製され、前記金属は前記ワイヤ巻線より高い電気抵抗を有する、請求項１に記載の電気モータ。
【請求項２３】
前記冷却管が非磁性ステンレス鋼、銅ニッケルの１つおよびそれらの組合せから作製される、請求項２２に記載の電気モータ。
【請求項２４】
複数のワイヤ巻線を有する電気モータと、
前記ワイヤ巻線によって形成される巻線のエンドターンと、
前記巻線のエンドターンに連結される複数の冷却管とを含み、 
前記冷却管のそれぞれの外面の少なくとも一部が前記巻線のエンドターンに連結され、前記複数の前記冷却管が前記電気モータからの熱を吸収するように動作可能であるデバイス。
【請求項２５】
前記冷却管が、前記巻線のエンドターンの周辺部に周方向に近接する形状にそれぞれ前形成されている、請求項２４に記載のデバイス。
【請求項２６】
前記複数の前記冷却管がポリテトラフルオロエチレンから作製されている、請求項２４に記載のデバイス。
【請求項２７】
電気モータの巻線のエンドターンを液体冷却するための方法であって、
前記巻線のエンドターンの周辺部に近接する形状の複数の冷却管を形成するステップと、
前記複数の前記冷却管を前記巻線のエンドターンによって形成された前記周辺部に連結するステップとを含む方法。
【請求項２８】
前記複数の前記冷却管を放熱システムに連結するステップをさらに含む、請求項２７に記載の方法。
【請求項２９】
前記冷却管を通して冷却剤を循環させるステップをさらに含む、請求項２８に記載の方法。
【請求項３０】
前記複数の前記冷却管を前記放熱システムに連結するステップが、前記複数の前記冷却管を並列構成で前記放熱システムに連結するステップを含む、請求項２７に記載の方法。
【請求項３１】
前記複数の前記冷却管を前記放熱システムに連結するステップが、前記複数の前記冷却管を直列構成で前記放熱システムに連結するステップを含む、請求項２７に記載の方法。
【発明の詳細な説明】
【技術分野】
【０００１】
本発明は電気モータに関し、より詳細には電気モータの巻線のエンドターンの液体冷却に関する。
【背景技術】
【０００２】
電気モータは、一般に空気冷却式または液体冷却式である。空気冷却式の電気モータでは、一般に、固定子鉄心およびワイヤ巻線に空気を吹きつける。この配置では、電気モータを、空気が固定子鉄心を通って巻線上に吹きつけられる非密封または開放モータとよぶこともできる。密閉または密封モータでは、モータの外部ケースの冷却フィンを通して空気を吹きつけ、モータからの廃熱を放散させる。非密封または密封モータのいずれにおいても、空気冷却による電気モータの冷却は、液体冷却に比べると単純ではあるが比較的不十分である。
【０００３】
液体冷却式電気モータでは、一般に固定子鉄心の外径と外部ケースの内径の間に環状ジャケットが配置されている。固定子鉄心の周りでジャケット内に水を循環させることによって、固定子鉄心および固定子巻線内で発生した熱を放熱する。従来、ジャケットは巻線のエンドターンから比較的離して配置されている。巻線のエンドターンで発生した熱が巻線および固定子鉄心を通って伝わり、ジャケットによって除去されることは、容易に理解できるであろう。巻線のエンドターンから固定子鉄心の一部を通り液体ジャケットに至る熱の経路には、一般に熱伝導性の低い多くの材料も含まれ、巻線のエンドターンの冷却が低下することがある。
【発明の開示】
【課題を解決するための手段】
【０００４】
電気モータは複数のスロットを有する固定子を含む。スロットは、スロット端部およびスロット端部同士の間に形成された溝を有する。スロット内に複数のワイヤ巻線が配設されている。複数の巻線のエンドターンがワイヤ巻線によって形成され、スロット端部に近接する。電気モータは、巻線のエンドターンによって形成された周辺部に連結されている冷却管も含む。冷却管は電気モータからの熱を吸収するように動作可能である。
【０００５】
本発明の別の特徴では、冷却デバイスは巻線のエンドターンを周方向に取り囲む複数の冷却管を含む。
本発明のさらに別の特徴では、冷却管の壁厚は冷却管の内径の約５％である。
【０００６】
本発明の適用可能な他の分野は、以下に記載される詳細な説明によって明らかになるであろう。詳細な説明および特定の例は、本発明の様々な実施形態を示すが、図示のためだけのものであって、本発明の範囲を制限するものではないことを理解されたい。
【発明を実施するための最良の形態】
【０００７】
本発明は詳細な説明、添付の特許請求の範囲および添付の図面から、より詳細に理解できるようになるであろう。以下の様々な実施形態の説明は、単に例示的な性質のものであり、本発明、その適用または使用をどのようにも制限するものではない。
【０００８】
図１および２を参照すると、例示的な電気モータ１０の一部が示されている。電気モータ１０はハウジング１２を含む。ハウジング１２は固定子鉄心１４を含む。固定子鉄心１４は、複数の固定子ラミネーション１６および当技術分野で既知の方法で固定子ラミネーション１６内部に形成された複数の固定子スロット１８を含むことができる。複数の導電性ワイヤ巻線２０を、固定子スロット１８内に通して巻きつけることができる。ハウジング１２および固定子鉄心１４の間に、冷却ジャケット２２を配設することができる。
【０００９】
ワイヤ巻線２０を固定子スロット１８内に配置し、合わせて両端面２８とよぶこともできる開口面２４と反対面２６の間で、長手方向に前後に移動させることができる。ワイヤ巻線２０が端面２８で出て、次の固定子スロット１８内へと方向を変え、および／または同じ固定子スロット１８内を通るよう方向を変えるとき、巻線のエンドターン３０が形成される。巻線のエンドターン３０は、端面２８の周りで環状のリングに形成し、固定子ラミネーション１６に当接させることができることが理解できよう。さらに、巻線のエンドターンは固定子鉄心に近接する内周面３０ａおよびハウジング１２に近接する外周面３０ｂを含むことができる。
【００１０】
固定子鉄心１４は、回転子を受ける開口３２も含むことができる。限定はされないが、永久磁石回転子またはかご型回転子など、適切な回転子（図１および２には図示せず）を電気モータ１０に使用できることが理解できるであろう。巻線のエンドターン３０は、回転子を受ける開口３２とハウジング１２の間で開口スペース３４の一部を占めることができる。巻線のエンドターン３０とハウジング１２の間に、別の開口スペース３４が残っていることも理解できよう。
【００１１】
図１および２では、固定子ラミネーション１６は固定子鉄心１４の周りに中実の環状リングとして示されている。ただし、固定子ラミネーション１６は、例えば複数の固定子ラミネーション１６を形成するように互いに複数の薄いラミネーションを挟むこともできる。さらに、図１および２では、ワイヤ巻線２０およびエンドターン３０は中実の部分として示されている。ただし、ワイヤ巻線２０およびエンドターン３０は、例えば固定子スロット１８を通って巻きつけられる複数の導電性ワイヤとすることもできる。
【００１２】
固定子ラミネーション１６とハウジング１２の間に、冷却ジャケット２２を環状に配設することができる。冷却ジャケット２２は、電気モータ１０から熱を除去するように冷却ジャケット２２全体を循環する、冷却剤を含むことができる。冷却剤には水、プロピレングリコール、エチレングリコール、油および／または適切な冷媒を含むことができ、これを固定子鉄心１４から熱を除去する伝熱媒体として冷却ジャケット２２で使用することができる。機械的冷却システムを使用して電気モータ１０を冷却することもできることもまた、理解できよう。
【００１３】
複数の冷却管３６を、エンドターン３０の周りに周方向に配設することができる。冷却管３６を、開口面２４および反対面２６の両方で巻線のエンドターン３０に連結することができることが理解できよう。より詳細には、複数冷却管３６はエンドターン３０の周りに周方向に配置されている。例えば、図４および６に示すように５つの管を使用することができ、または図１に示すように７つの管を使用することもできる。図示された例にかかわらず、任意の数の冷却管３６を使用することができ、電気モータのモデルおよび必要な冷却容量に特定の数の冷却管３６を使用することができるようになっている。他の例では、図３および５に示すように、単一の冷却管３６を使用し、エンドターン３０の周りに複数回巻きつけることができる。
【００１４】
冷却管３６は、例えば壁の薄いプラスチック管とすることができる。冷却管の壁厚は、約０．０１２インチ（０．３０５ｍｍ）の直径を有することができる。管の壁厚は、エンドターン３０から冷却管３６を通って冷却剤へと熱の伝達を促進する、適切な厚さとすることができることも理解できよう。さらに、冷却管３６がエンドターン３０の周りによじれずに巻きつけられるように、管の直径を小さくすることができる。冷却管３６の外面３６ａは巻線のエンドターン３０に接触することができることもまた理解できよう。管の内径は、例えば０．２５インチ（６．３５ｍｍ）とすることができる。例によると、管の壁厚は管の直径の約５％とすることができる。例えば、冷却管３６はエンドターン３０を補完する形状に形成することができ、エンドターン３０の周りを冷却管３６で覆うときよじれを防ぐことができる。冷却管３６は、例えば長方形、三角形および他の適切な多面形など、様々な断面形状を有することができることを、さらに理解できよう。
【００１５】
冷却管３６は、例えばプラスチック、ゴムまたはポリテトラフルオロエチレン（すなわち、Ｔｅｆｌｏｎ（登録商標））など、非金属材料から作製することができる。冷却管３６をＴｅｆｌｏｎ（登録商標）で作製するとき、冷却管３６は接着を高めるために化学的または機械的工程でエッチングすることができる。エッチングは、表面の粗さを増加させるように冷却管３６からいくつかの材料を除去することを含むことができ、フッ素原子を炭素に置き換えることができる。冷却管３６はまた、金属から作製することもできる。例えば非磁性ステンレス鋼または銅ニッケルなど、電気抵抗の高い金属が望ましい。非金属材料（例えば、Ｔｅｆｌｏｎ（登録商標））から冷却管３６を製造することは、冷却管３６およびエンドターン３０の周りのうず電流損を防ぐのに好ましい。
【００１６】
接着剤３８（図１）を使用して、冷却管３６を巻線のエンドターン３０に接着することができる。接着剤３８は、例えば冷却管３６内へ除去される熱量を最大にするように、熱伝導性の接着剤とすることができる。接着剤３８は、例えば熱用添加剤を含むことができる。熱用添加剤は、例えばアルミニウム、窒化アルミニウム、窒化ボロン、グラファイトおよびセラミックスなどを含むことができる。熱用添加剤は、例えば接着剤３８の熱伝導性を向上させることができ、冷却システムの全体的な効率を向上させることができる。適切な接着剤には、制限はされないが、日本国東京の信越化学工業から発売されている製品であるＸ３２−２１３３およびＫＥ−１８６７を含む。他の適切な接着剤には、Ｄｏｗ  Ｃｏｒｎｉｎｇ  Ｃｏｒｐ．による製品ＳＥ４４５１およびニュージャージー州ローズランドのＩｎｓｕｌｃａｓｔによるＲＴＶＳ３−９５−１を含む。
【００１７】
冷却管３６を、巻線のエンドターン３０に連結することができ、巻線のエンドターン３０とハウジング１２の間の開口スペース３４内に配置することができる。巻線のエンドターン３０に冷却管３６を設置するのに追加のスペースは必要とせず、従来の電気モータではそれが設けられることがあるのと異なることが理解できよう。さらに、冷却管３６は、電気モータ１０の冷却をさらに向上させるように、スペース３４からの熱をさらに除去するように動作可能とすることができる。冷却管３６の位置（例えば、内周面３６ａおよび／または外周面３６ｂ）は、電気モータのサイズおよび形状、およびある種の電気モータのモデルに特定の別の冷却法（例えば、回転子ファン）によって決定することができることがさらに理解できよう。
【００１８】
図３を参照すると、電気モータ冷却システムの例示的な概略図が示されている。冷却システムは、冷却装置１０２に連結することのできる電気モータ１００を含むことができる。回転子１０４を固定子鉄心１０６内部に配設することができる。固定子鉄心１０６は、固定子ラミネーション１０８および固定子ラミネーション１０８から延び巻線のエンドターン１１０を形成する固定子巻線を含むことができる。冷却管１１２を巻線のエンドターン１１０に連結することができる。
【００１９】
この実施形態では、冷却出力ライン１１４によって冷却装置１０２が電気モータ１００の反対面１１８の冷却管１１２に連結される。冷却剤は冷却管１１２を通って流れ、ブリッジ冷却ライン１２０を通って出て、開口面１２２の冷却管へと入る。冷却剤は開口面１２２の冷却管１１２を通り、冷却装置入力ライン１１６を通って冷却装置部１０２へと流れる。反対面１１８の冷却管１１２は、開口面１２２の単一の冷却管と直列の単一の管である。例によれば、冷却剤は、冷却装置１０２から、反対面１１８で巻線のエンドターン１１０の周りに複数回巻きつけることができる単一の冷却管１１２を通って循環することができる。次いで、冷却剤は開口面１２２で巻線のエンドターン１１０の周りに複数回巻きつけられた単一の冷却管１１２を通って循環することができ、冷却装置１０２へと戻る。図３に示された配置では、冷却管は直列構成で連結されていることが理解できよう。
【００２０】
図４を参照すると、冷却剤出力マニホールド１２４および冷却剤入力マニホールド１２６を含む、冷却システムの別の実施形態が示されている。出力および入力は、冷却装置１０２からの出力および冷却装置１０２への入力を規定するためにのみ使用される。出力マニホールド連結１２８によって、冷却剤出力マニホールド１２４は冷却装置１０２に連結される。複数のマニホールド出力ライン１３０によって、冷却剤出力マニホールド１２４は両端面１１８、１２２で冷却管１１２に連結される。複数の冷却管１１２を、冷却管１１２がそれぞれ各マニホールド出力ライン１３０に連結されるように、巻線のエンドターン１１０上に配置することができることが理解できよう。複数のマニホールド入力ライン１３２によって、冷却管１１２は両端面１１８、１２２で冷却剤入力マニホールド１２６に連結される。入力マニホールド連結１３４によって、冷却剤入力マニホールド１２６は冷却装置１０２に連結される。図３に示された直列構成とは対照的に、図４では冷却剤は並列構成の各冷却管１１２を通って循環する。
【００２１】
図５を参照すると、図３と同様の冷却システムの別の実施形態が示されている。冷却システムは、電気モータ１００上に環状の冷却ジャケット１３６を含む。この実施形態では、冷却装置出力ライン１１４によって、冷却剤が冷却装置１０２から、反対面１１８でエンドターン１１０に連結される冷却管１１２へと送られる。管とジャケット間の出力ライン１３８によって、反対面１１８の冷却管１１２が冷却ジャケット１３６に連結される。冷却剤は冷却ジャケット１３６を通って流れ、次いで冷却ジャケット１３６を開口面１２２の冷却管１１２に連結する管とジャケット間の入力ライン１４０を通って出る。冷却装置入力ライン１１６によって、冷却管１１２は開口面１２２で冷却装置１０２に連結される。反対面１１８で巻線のエンドターン３０の周りに複数回巻きつけられた単一の管は、冷却ジャケット１３６に直列に配置されており、開口面１２２では冷却管１１２が同様に構成されることが理解できよう。
【００２２】
図６を参照すると、図４と同様であるが環状の冷却ジャケット１３６を含む冷却システムの別の実施形態が示されている。この実施形態では、出力マニホールド連結１２８によって、冷却装置１０２が冷却剤出力マニホールド１２４に連結される。複数のマニホールド出力ライン１３０によって、冷却剤出力マニホールド１２４は両端面１１８、１２２で複数の冷却管１１２に連結される。マニホールド出力ライン１３０の１つによって、冷却剤出力マニホールド１２４はまた冷却ジャケット１３６にも連結される。冷却剤は、冷却管１１２および図４に示すシステムと同様に並列構成の冷却ジャケット１３６を通って流れることが理解できよう。複数のマニホールド入力ライン１３２によって、冷却管１１２は両端面１１８、１２２で冷却剤入力マニホールド１２６に連結される。マニホールド入力ライン１３２の１つによって、冷却ジャケット１３６は冷却剤入力マニホールド１２６に連結される。入力マニホールド連結１３４によって、冷却剤入力マニホールド１２６は冷却装置１０２に連結される。複数の冷却管１１２は、両端面１１８、１２２で冷却ジャケット１３６とともに並列構成で冷却されることが理解できよう。
【００２３】
図７を参照すると、冷却システムの別の実施形態が、例示的な車両２００で示されている。この実施形態では、車両２００は制御モジュール２０２および水ポンプ２０６に連結されたラジエータ２０４を含み、冷却剤を車両２００全体に循環させる。一対の電気モータ１００が、各車輪２０８をそれぞれ駆動する。例示的な車両２００は一対の駆動車輪２０８および一対の非駆動車輪２１０で示されているが、別の２つの例示的な電気モータ１００を一対の車輪２１０に同様に連結することもできる。
【００２４】
水ポンプ２０６およびラジエータ２０４は冷却剤を、冷却剤出力マニホールド１２４へ循環させ、図４および６に示すのと同様の方法で、冷却剤入力マニホールド１２６から冷却装置１０２へと循環させる。冷却剤出力ライン２１２によって、水ポンプ２０６は各冷却剤出力マニホールド１２４に連結される。マニホールド出力ライン１３０によって、冷却剤出力マニホールド１２４は各端面１１８、１２２で冷却管１１２および冷却ジャケット１３６に連結される。マニホールド入力ライン１３２によって、冷却管１１２および冷却ジャケット１３６は冷却剤入力マニホールド１２６に連結される。マニホールド入力ライン２１４によって、各冷却剤入力マニホールド１２６はラジエータ２０４に連結される。制御モジュール２０２は、冷却剤が車両２００全体に行き渡るよう調節するように、水ポンプ２０６と通信することができることが理解できよう。さらに、制御モジュール２０２は、例えば車両２００の速度を調節することができる電気モータの出力を調節するように、各電気モータ１００と通信することができる。
【００２５】
図８を参照すると、冷却システムの別の実施形態が、例示的な車両３００で示されている。この実施形態では、車両３００はクランクシャフト３０４およびクランクシャフトプーリ３０６を有する内燃機関３０２を含む。ラジエータ３０８は、冷却剤を車両３００全体に循環させる水ポンプ３１０に連結している。例示的な交流発電機３１２は、例えば、図６に示すように例示的な電気モータ１００の構成部品を含む。交流発電機３１２は、例えば既知の方法で車両３００に電力を供給することができる。交流発電機３１２は、交流発電機シャフト３１４および交流発電機プーリ３１６を含むことができる。交流発電機プーリ３１６は、ベルトまたはチェーン（図示されていないが当技術分野では既知である）によって、クランクシャフトプーリ３０６に連結されている。機関３０２がクランクシャフトプーリ３０６を回転させ、クランクシャフトプーリ３０６が交流発電機プーリ３１６を回転させることが理解できよう。交流発電機プーリ３１６の回転によって、交流発電機３１２は車両３００で使用する電気エネルギーを、当技術分野では既知の方法で生成することができる。
【００２６】
水ポンプ３１０およびラジエータ３０８は冷却剤を冷却剤出力マニホールド１２４へ循環させ、図４および６に示すのと同様の方法で、冷却剤入力マニホールド１２６から冷却装置１０２へと循環させる。例えば、冷却剤出力ライン３１８によって、水ポンプ３１０は機関３０２および冷却剤出力マニホールド１２４に連結される。マニホールド出力ライン１３０によって、冷却剤出力マニホールド１２４は各端面１１８、１２２で冷却管１１２および冷却ジャケット１３６に連結される。マニホールド入力ライン１３２によって、冷却管１１２および冷却ジャケット１３６は冷却剤入力マニホールド１２６に連結される。冷却剤入力ライン３２０によって、ラジエータ３０８は機関３０２および冷却剤入力マニホールド１２６に連結される。
【００２７】
制御モジュール３２２は、例えば、冷却剤が車両３００全体に行き渡るよう調節するように、水ポンプ３１０と通信することができる。制御モジュール３２２はまた、バッテリ３２４の充電を調節することもできる。交流発電機３１２を冷却することによって、例えば、制限されるものではないが、サンルーフ、マルチメディアエンターテイメントシステム、追加照明、追加暖房、追加冷房、マッサージシートおよび／または冷蔵庫など、数多くの車両アクセサリ３２６で電力を利用可能にすることができる電力生産の増加を可能にすることが理解されよう。
【００２８】
本発明の広範な教示を様々な形態で実施することができることを、当業者であれば上述の説明から容易に理解することができよう。したがって、本発明をその特定の例と関連させて説明してきたが、当業者であれば図面、明細書および添付の特許請求の範囲を読めば他の修正も容易に理解できることから、本発明の範囲はそのように制限されるものではない。
【図面の簡単な説明】
【００２９】
【図１】本発明の様々な実施形態に従って製造された電気モータの断面斜視図であり、固定子ラミネーション、固定子巻線、巻線のエンドターンおよび複数の冷却管を示す図である。
【図２】図１の電気モータの前面図である。
【図３】本発明の様々な実施形態に従って製造された電気モータの例示的な冷却システムの概略図である。
【図４】図３と同様であり、本発明の様々な実施形態に従って製造された冷却管に取り付けられた入力冷却マニホールドおよび出力冷却マニホールドを含む図である。
【図５】図３と同様であり、冷却システムに組み込まれた冷却ジャケットを含む図である。
【図６】図４と同様であり、冷却システムに組み込まれた冷却ジャケットを含む図である。
【図７】本発明の様々な実施形態に従って製造され、各車輪、および各電気モータの巻線のエンドターンに連結された冷却管をそれぞれが駆動する電気モータを含む、例示的な車両の概略図である。
【図８】本発明の様々な実施形態に従って製造され、機関、および交流発電機の巻線のエンドターンに連結された冷却管によって駆動される交流発電機を含む、例示的な機関の概略図である。
【符号の説明】
【００３０】
１０  電気モータ
１２  ハウジング
１４  固定子鉄心
１６  固定子ラミネーション
１８  固定子スロット
２０  ワイヤ巻線
２２  冷却ジャケット
２６  開口面２４と反対面
２８  両端面
３０  巻線のエンドターン
３０ａ  内周面
３０ｂ  外周面
３２  回転子を受ける開口
３４  開口スペース
３６  冷却管
３８  接着剤
１００  電気モータ
１０２  冷却装置
１０４  回転子
１０６  固定子鉄心
１０８  固定子ラミネーション
１１０  巻線のエンドターン
１１２  冷却管
１１４  冷却出力ライン
１１６  冷却装置入力ライン
１１８  反対面
１２０  ブリッジ冷却ライン
１２２  開口面
１２４  冷却剤出力マニホールド
１２６  冷却剤入力マニホールド
１２８  出力マニホールド連結
１３０  マニホールド出力ライン
１３２  マニホールド入力ライン
１３４  入力マニホールド連結
１３６  冷却ジャケット
１３８  管とジャケット間の出力ライン
１４０  管とジャケット間の入力ライン
２００  車両
２０２  制御モジュール
２０４  ラジエータ
２０６  水ポンプ
２０８  駆動車輪
２１０  非駆動車輪
２１２  冷却剤出力ライン
２１４  マニホールド入力ライン
３００  車両
３０２  機関
３０４  クランクシャフト
３０６  クランクシャフトプーリ
３０８  ラジエータ
３１０  水ポンプ
３１２  交流発電機
３１４  交流発電機シャフト
３１６  交流発電機プーリ
３１８  冷却剤出力ライン
３２０  冷却剤入力ライン
３２２  制御モジュール
３２４  バッテリ
３２６  車両アクセサリ
【図１】
2007252188.tif 000003
【図２】
2007252188.tif 000004
【図３】
2007252188.tif 000005
【図４】
2007252188.tif 000006
【図５】
2007252188.tif 000007
【図６】
2007252188.tif 000008
【図７】
2007252188.tif 000009
【図８】
2007252188.tif 000010
【外国語明細書】
2007252188000001.pdf